(57)【特許請求の範囲】
【請求項１】
透明または半透明なルアー本体と、
前記ルアー本体表面に形成され合成樹脂に粒径１０〜４０μｍ厚み０．０１〜０．３μｍの粒子を混入してなる含粒子層とを備え、
前記含粒子層は含粒子層を光が透過可能なように合成樹脂中の粒子間に空隙が形成されており、
前記ルアー本体は、反対側面から入射する逆光が、前記粒子の空隙をぬって透過して外観上に現れるように構成されている、
ルアー。
【請求項２】
前記含粒子層は、光透過方向断面積において粒子存在面積が１０〜８５パーセントを占めている、請求項１記載のルアー。
【請求項３】
前記粒子は薄板状の金属粒子である、請求項１または２に記載のルアー。
【請求項４】
前記粒子は薄板状の金属粒子及び貝殻の粉砕物である、請求項１または２に記載のルアー。
【請求項５】
前記ルアー本体上に形成された下地層をさらに備えている、請求項１〜４のいずれかに記載のルアー。
【発明の詳細な説明】
【０００１】
【発明の属する技術分野】
本発明は、ルアーに関する。
【０００２】
【従来の技術】
従来の釣竿やリール等の釣り用具には、釣り用具の表面に粒子を含有した反射層を設けたものがある。この種の釣り用具は、釣り用具本体の表面上に形成されたアンダー層と、アンダー層上に設けられ光反射用粒子を樹脂に散りばめた反射層と、反射層上に塗布されたクリア層とを有している。
【０００３】
このような従来の釣り用具では、反射層の光反射用粒子が外部からの光を反射して様々な模様を描き出し外観を向上させている。
【０００４】
【発明が解決しようとする課題】
従来の釣り用具の反射層は光沢感を演出することを主としたものであり、多量の光反射用粒子を配合して表面側からの入射光をできるだけ効率よく反射して、美しい光沢感を出している。
しかし、入射光の反射を効率的にするということは、反射層を透過する光の量が低減するということである。即ち、反射層を主にして模様や色彩を演出することになり色彩や模様の演出にも限界がある。
【０００５】
また、水に触れる機会が多く過酷な状況下で用いられることの多い釣り用具、特に、使用時に大きく湾曲する釣竿においては、多量の光反射用粒子を配合した反射層から亀裂等が生じる恐れもある。さらに、水中を泳動し魚をおびき寄せるルアーにおいては、過度の光の反射は魚に警戒心を与えることになり、警戒心の強い魚を十分に引きつけられない場合もある。
本発明の課題は、良好な外観を有しかつ耐久性にも優れるルアーを提供することにある。
【０００６】
【課題を解決するための手段】
発明１にかかるルアーは、透明または半透明なルアー本体と、ルアー本体表面に形成され合成樹脂に粒径１０〜４０μｍ厚み０．０１〜０．３μｍの粒子を混入してなる含粒子層とを備えている。そして、含粒子層は含粒子層を光が透過可能なように合成樹脂中の粒子間に空隙が形成されており、ルアー本体は、反対側面から入射する逆光が、粒子の空隙をぬって透過して外観上に現れるように構成されている。
【０００７】
この場合には、合成樹脂中の粒子間に空隙が設けられており、粒子は含粒子層に入射した順光を全て反射せずに一部を反射する。この結果、美しい光沢を出しつつ深みのある良好な外観を作り出すことができる。また、含粒子層を光が透過可能であり、含粒子層の下に設けた他層の色彩や模様も外部から認識可能であり、含粒子等と他層との複数層による外観を作り出すことが可能になる。
【０００８】
さらに、光反射用粒子間の空隙に合成樹脂が存在して光反射用粒子間の緩衝材となるので、含粒子層から亀裂が生じるのを抑えられる。
【０００９】
また、入射光が含粒子層を透過可能であり、透明または半透明のルアー本体に含粒子層が形成されているため、逆光がルアー本体及び含粒子層を透過してより自然に近い美しい外観を演出できる。このため、キャスティング後の水中での泳動時において、水中の色に適応しつつ反射光を出して魚に強くアピールできる。
【００１０】
発明２にかかるルアーは、発明１のルアーであって、含粒子層は光透過方向断面積において粒子存在面積が１０〜５０％を占めている。
【００１１】
ここで、粒子が光透過方向断面積において１０％を下まわると順光に対する反射が十分得られず光沢感が低下する。逆に５０パーセントを超えると逆光の透過量が減り自然に近い色が得られにくくなる。
【００１２】
発明３にかかるルアーは、発明１または２のルアーであって、粒子は薄板状の金属粒子である。
【００１３】
この場合には、反射用粒子として薄板状の金属粒子を用いているので、順光を良好に反射できる。
【００１４】
発明４にかかるルアーは、発明１または２のルアーであって、粒子は薄板状の金属粒子及び貝殻の粉砕物である。
【００１５】
この場合には、金属粒子と貝殻の粉砕物が順光を良好に反射する。
【００１６】
発明５にかかるルアーは、発明１〜４のいずれかのルアーであって、ルアー本体上に形成された下地層をさらに備えている。
【００１７】
この場合には、下地層がルアー本体と含粒子層との密着性を向上させるので、耐久性が向上する。
【００１８】
【発明の実施の形態】
［第１実施形態］
以下、本発明の第１実施形態について、図面を参照しつつ説明する。
【００１９】
本発明の第１実施形態を採用したルアーは、図１に示すように、外形を魚に似せて形成した透明または半透明のプラスチック素材からなるルアー本体１と、ルアー本体１の頭部下方に前方に突出して設けられたリップ２と、リップ２に設けられたライン（釣糸）を係止し得るアイ（止め輪）３と、ルアー本体の中央から頭部よりの下面及び尾部にそれぞれ設けられたアイ４,５とを有している。これらアイ４，５にはスプリットリング６，７を介してフック（釣り針）８，９が装着されている。
【００２０】
ルアー本体１の表面は外観を魚に似せるように様々な塗装が施されている。図２に示すように、ルアー本体１の表面には、アンダー層１０と、アンダー層１０上に形成されたベース層１１と、ベース層１１上に形成された含粒子層１２と、含粒子層１２上に形成されているクリア層１３とを有している。
【００２１】
ルアー本体１は光を透過可能に透明または半透明な合成樹脂から形成されている。一対の縦割り部材を開口面側で貼り合わせたものである。表面はアンダー層１０が密着しやすいように平滑になるように表面処理が施されている。
【００２２】
アンダー層１０は、ルアー本体１とベース層１１との密着性を向上させるべくルアー本体１上に塗布されて形成されたものであり、例えば、エポキシ系樹脂塗材を塗布することによって形成されている。ベース層１１は含粒子層１２の光沢をより鮮明にするために形成されたものであり、エポキシ系樹脂，ウレタン系樹脂の樹脂材に必要に応じて様々な色彩を付したものである。さらに、必要に応じては、貝殻粉砕物等をこのベース層１１に混入してもよい。
【００２３】
含粒子層１２は、合成樹脂１２ａに薄板状の金属粒子１２ｂを混入してなるものである。合成樹脂１２ａは、透明または半透明のウレタン系樹脂やアクリルウレタン系樹脂である。薄板状の金属粒子１２ｂは、例えば、アルミニウム等の金属箔にクロムやチタン等の酸化被膜を施したものである。金属粒子１２ｂとしては、反射用のアルミニウム金属層の表裏両側に１対のフッ化マグネシウム等からなる光干渉薄膜層を設け、さらに１対の光干渉薄膜層の上に、酸化クロム等からなる吸着金属層を形成したサンドウィッチ構造のものを用いてもよい。この金属粒子１２ｂは、良好に入射光を反射するために、その粒径が１０〜４０μｍで厚みが０．０１〜０．３μｍである。好ましくは、粒径１５〜２０μｍ，厚み０．０１〜０．０３μｍである。
【００２４】
なお、この含粒子層１２は、含粒子層１２を光が透過可能なように、金属粒子１２ｂ間に空隙があるように金属粒子１２ｂが樹脂１２ａ中に混入されている。具体的には、光透過方向断面積において金属粒子１２ｂの存在面積が全断面積に対して１０〜８５パーセントになるように形成されている。さらに、含粒子層１２を光が有効に透過するためには、１０〜５０パーセントとするのが好ましい。
【００２５】
クリア層１３は含粒子層１２の表面を保護するために設けられたものである。さらに必要に応じて、外観を魚に似せるべく様々な模様を設けてもよい。
【００２６】
このように構成されたルアーでは、図２に示すように、含粒子層１２において樹脂１２ａ中の金属粒子１２ｂ間に空隙が設けられており、金属粒子１２ｂは含粒子層１２に入射した順光を全て反射せずに一部を反射して、外観を向上させる。また、透明または半透明のルアー本体１の反対側面から入射する逆光は、金属粒子１２ｂの空隙をぬって透過し、周囲の環境に合わせた自然に近い外観を演出する。
【００２７】
この結果、ルアーをキャスティングした後の水中での泳動時において、水中の色に適応しつつ反射光を出して魚に強くアピールできる。
【００２８】
［第１参考例］
以下、本発明の第１参考例について、図面を参照しつつ説明する。
【００２９】
本発明の第１参考例を採用した釣竿は、図３に示すように、元竿３１と、元竿３１の穂先側に振り出し形式で連結された穂先側竿体ユニット３２とを有している。
【００３０】
元竿３１はわずかに先細りの筒状に形成され、外周面上にはリール３３が装着可能なリールシート３４が形成されている。また、元竿３１の先端部（穂先側）にはリール３３からの釣糸Ｌを竿の内部に導入するための糸導入孔３５が形成されている。
【００３１】
穂先側竿体ユニット３２は、トップガイド４０を有する最も穂先側の１番竿４１と、１番竿４１を支持するとともにこの１番竿４１を内部に収納可能な２番竿４２と、２番竿４２を内部に収納可能でかつ元竿１に挿入可能な３番竿４３とを有している。このように、穂先側竿体ユニット３２を構成する３本の竿４１〜４３は先細りの筒状に形成されている。そして、これらの竿の内部には、釣糸Ｌが挿通する糸挿通路Ｐが形成される。また、トップガイド４０の先端には、釣糸Ｌを外部に導出するための糸導出口４１ａが形成されている。なお、糸挿通路Ｐや糸導入孔５及び糸導出口４１ａの開口端縁には、セラミック製のガイドリングが設けられている。そして、リール３３からの釣糸Ｌは糸導入孔３５より糸挿通路Ｐに導入され、トップガイド４０の糸導出口４１ａから外部へ導かれる。
【００３２】
これら元竿３１及び竿体ユニット３２は、図４に示すように、元竿３１及び竿体ユニット３２の部材本体５０と、部材本体５０の周面上に形成されたアンダー層５１と、アンダー層５１上に形成された含粒子層５２と、含粒子層５２上に形成されたクリア層５３とを有している。
元竿３１及び竿体ユニット３２を構成する部材本体５０は、炭素繊維やガラス繊維等で強化された繊維強化樹脂からなる。表面は平滑になるように所定の表面処理によって表面処理されている。アンダー層５１は、部材本体５０と含粒子層５２との密着性を向上させるべく部材本体５０の周面上に塗布されて形成されたものであり、例えば、エポキシ系樹脂塗材を塗布することによって形成される。含粒子層５２は、薄板状の金属粒子５２ａ及び粉砕物５２ｂを合成樹脂５２ｃ中に混入したものである。薄板状の金属粒子５２ａは、例えば、アルミニウム等の金属箔にクロムやチタン等の酸化被膜を施したものである。粉砕物５２ｂは、貝殻やその他の無機物を径１０〜６０μｍ程度に粉砕して加工したものである。合成樹脂５２ｃは透明または半透明のウレタン系樹脂やアクリルウレタン系樹脂である。この含粒子層５２を光が透過可能に、金属粒子５２ａ及び粉砕物５２ｂをこれらの間に空隙が生じるように合成樹脂５２ｃ中に混入されている。
【００３３】
このように構成された釣竿では、含粒子層５２の合成樹脂５２ｃ中の金属粒子５２ａ及び粉砕物５２ｂ間に空隙が設けられており、これらの金属粒子５２ａ及び粉砕物５２ｂは含粒子層５２に入射した順光の全て反射せずに一部を反射する。この結果、美しい光沢を出しつつ深みのある良好な外観を出すことができる。また、金属粒子５２ａ及び粉砕物５２ｂ間の空隙に合成樹脂５２ｃが存在して緩衝材となるので、水に触れる機会が多く過酷な状況下で用いられ、特に、魚が仕掛けにかかり元竿３１及び穂先竿体ユニット３２が大きく湾曲した場合でも、含粒子層５２に亀裂が生じるのを抑えられる。
【００３４】
［第２参考例］
以下、本発明の第２参考例について図面を参照しつつ説明する。
【００３５】
本発明の第２参考例を採用した釣竿の元竿３１及び竿体ユニット３２は、図５に示すように、元竿３１及び竿体ユニット３２の部材本体６０と、部材本体６０の周面上に形成されたアンダー層６１と、アンダー層６１上に形成されたベース層６２と、ベース層６２上に形成された含粒子層６３と、含粒子層６３上に形成されたクリア層６４とを有している。
【００３６】
元竿３１及び竿体ユニット３２を構成する部材本体６０は、炭素繊維やガラス繊維等で強化された繊維強化樹脂からなる。表面は平滑になるように所定の表面処理によって表面処理されている。アンダー層６１は密着性を向上させるべく部材本体６０の周面上に塗布されて形成されたものであり、例えば、エポキシ系樹脂塗材を塗布することによって形成される。ベース層６２は貝殻等の粉砕物６２ａを合成樹脂６２ｂに混入したものである。粉砕物６２ａは、光を入射した光を反射してパール光沢をかもしだすように混入されており、合成樹脂６２ｂはエポキシ系樹脂，ウレタン系樹脂の樹脂材を主とするものである。必要に応じて様々な色彩を付してもよい。
【００３７】
含粒子層６３は、樹脂６３ｂに薄板状の金属粒子６３ａを混入してなるものである。樹脂６３ｂは、透明または半透明のウレタン系樹脂やアクリルウレタン系樹脂である。薄板状の金属粒子６３ａは、例えば、アルミニウム等の金属箔にクロムやチタン等の酸化被膜を施したものである。また、クリア層６４は含粒子層６３の表面を保護するために設けられたものである。
なお、その他の構成は第１参考例と同様であり説明を省略する。
【００３８】
このように構成された釣竿では、第１参考例と同様の作用効果を奏する。また、含粒子層６３を光が透過可能であり、含粒子層６３の下に設けたベース層６２を外部から認識可能である。この結果、含粒子等６３のみでなくベース層６２と含粒子層６３との複数層による外観を作り出すことが可能である。
【００３９】
【発明の効果】
本発明に係るルアーは、含粒子層は含粒子層を光が透過可能なように合成樹脂中の粒子間に空隙が形成されているので、良好な外観を有しかつ耐久性にも優れるルアーを提供できる。
【図面の簡単な説明】
【図１】  本発明の第１実施形態を採用したルアーの全体図。
【図２】  図１のルアー本体の拡大断面図。
【図３】  本発明の第１参考例を採用した釣竿の全体図。
【図４】  図３の竿体の拡大断面図。
【図５】  本発明の第２参考例を採用した釣竿の竿体の拡大断面図。
【符号の説明】
１  ルアー本体
１０，５１，６１  アンダー層
１１，６２  ベース層
１２，５２，６３  含粒子層
１３，５３，６４  クリア層
【図１】
0004090121.tif 000002
【図２】
0004090121.tif 000003
【図３】
0004090121.tif 000004
【図４】
0004090121.tif 000005
【図５】
0004090121.tif 000006